(57)【要約】本発明は、容器本体とキャップからなるマスカラ容器を提供する。このばね付勢マスカラブラシを有する容器は、前記容器本体を開くために前記容器本体から前記キャップを分離するとき、前記キャップに設置されたブラシ柄が下方に一定の長さ前進するようにすることにより、前記キャップを完全に閉めなくても、前記容器本体の底に残った微量のマスカラ液を容易に使用し得るようにし、前記容器本体を閉じるために前記キャップを前記容器本体に付けたとき、前記キャップに設置された前記ブラシ柄が上方に後進するようにすることにより、ブラシが前記容器本体の底に密着しないようにした。
2007520249.tif 000002
【特許請求の範囲】
【請求項１】
一定量のマスカラ液を収容し、その上端には雄ネジ部が設けられた頚部を有する容器本体と、前記容器本体の上部をカバーするための外キャップと、前記外キャップの内部に結合し、その下部には一定の長さ延長されたブラシ柄が一体に設けられたブラシユニットと、前記ブラシ柄の下端に結合したブラシとからなるマスカラ容器において、
上下面が貫通した円筒状に設けられて前記外キャップの内部に圧力嵌め方式によって結合し、その下側内周面には前記頚部の雄ネジ部に対応する雌ネジ部が設けられ、前記雌ネジ部の上側には突出した環状段部が一体に設けられた内キャップと、
前記内キャップに一定の長さ上下作動するように挿入され、外周面の所定の位置には前記内キャップの前記環状段部に係止されるように環状係止部が突設され、前記環状係止部の上面にはばね座が凹設され、下端には一定の長さ延長されて本体内に挿入されるブラシ柄が一体に設けられたブラシユニットと、
前記ブラシユニットのばね座と前記外キャップの内部空間との間に設置され、ブラシユニットの上下作動時にブラシユニットを弾性的に付勢し、その結果ブラシ柄が上下作動するようにするばねとを含むことを特徴とする、ばね付勢マスカラブラシを有する容器。
【請求項２】
前記容器本体の頚部には、上下面が貫通した円筒状を有し、上端外周縁には結合突縁が設けられ、下端の内周縁にはブラシに過多に付いたマスカラ液を掻き落とすための突起が設けられた掻き落とし部がさらに結合することを特徴とする、請求項１に記載のばね付勢マスカラブラシを有する容器。
【発明の詳細な説明】
【技術分野】
【０００１】
本発明は、容器本体とキャップからなる通常のマスカラ容器に係り、さらに詳しくは、容器本体を開放するために容器本体からキャップを分離するとき、キャップに設置されたブラシ柄が下方に一定の長さ前進するようにすることにより、キャップを完全に閉めなくても、容器本体の底に残った微量のマスカラ液を容易に使用し得るようにし、容器本体を閉鎖するために容器本体にキャップを付けたとき、キャップに設置されたブラシ柄が上方に後進するようにすることにより、ブラシが容器本体の底に密着しないようにした、ばね付勢マスカラブラシを有する容器に関する。
【背景技術】
【０００２】
一般に、マスカラは、睫毛を整えたり根元から持ち上げて睫毛を目立つようにするための化粧品であって、木炭（炭）と油脂とを混ぜて製造する。また、マスカラは、その形態によってクリームマスカラ、ケーキマスカラ、液体マスカラなどに大別されるが、その中でも、液体マスカラが最も多く用いられている。
【０００３】
マスカラ容器は、使用者がマスカラを容易に使用し得るようにマスカラを収容するためのものである。従来のマスカラ容器は、図１に示すように、容器本体１、外キャップ４、ブラシユニット７、およびブラシ８を含んでなる。容器本体１は、一定量のマスカラ液を収容し、その上端には、雄ネジ部２が設けられた一定高さの頚部３を有する。外キャップ４は、内部に一定の空間が設けられ、前記容器本体１の上部をカバーする。ブラシユニット７は、前記外キャップ４の内部空間に圧力嵌め方式によって結合し、その下側内周面には前記頚部３の雄ネジ部２と対応する雌ネジ部５が設けられ、前記雌ネジ部５の中央には下方に一定の長さ延長されて容器本体１の内部に挿入されるブラシ柄６が一体に設けられる。ブラシ８は、前記ブラシ柄６の下端に結合する。
【０００４】
この際、前記マスカラ容器は、容器本体１と外キャップとが完全に結合した状態で、ブラシ柄６の下端に結合したブラシ８が容器本体１の底に近接するように形成される。
【０００５】
ところが、従来のマスカラ容器の構成によれば、容器本体１の内部に収容されているマスカラ液が微量の場合、キャップを分離した状態でブラシ８の下端がマスカラ液に達しないため使用が不便であるという問題点が発生する。
【０００６】
より具体的には、収容されたマスカラ液を用いてアイメーキャップを始める場合、容器本体１から外キャップ４を分離した後、ブラシ８に付いたマスカラ液を睫毛に塗布するが、容器本体１の内部に微量のマスカラ液が残った状態でブラシ８にマスカラ液を付けるためには、容器本体１０の雄ネジ部２と外キャップ４の雌ネジ部５との螺合によって容器本体と外キャップとを完全に結合させなければならないという不便さがある。
【０００７】
言い換えれば、図１に示すように、容器本体１の頚部３に外キャップを付けて完全に閉めた状態では、ブラシ８が容器本体１の底に近接した状態を維持することにより、残量のマスカラ液を使用することができるが、容器本体１からキャップを完全に分離した状態では、頚部３の高さ「ｄ１」分だけブラシ８と容器本体１の底面との間に離隔距離「ｄ２」が発生することにより、残量のマスカラ液を使用することができなくなる。
【０００８】
結果的に、容器本体１の内部に収容されたマスカラ液が「ｄ２」より少なく残った状態でマスカラを使用する場合には、ブラシ８にマスカラ液を付ける度に、容器本体１とキャップとを螺合によって完全に結合させてから分離して使用しなければならないという非常に不便な問題が発生する。
【０００９】
一方、従来のマスカラ容器本体１の頚部３は、通常、ブラシ８の太さと同一またはより太くなるよう形成されることにより、ブラシ８またはブラシ柄６の周囲に過多なマスカラ液が付いた状態で使用されるため、マスカラ液が外部に流れ出したり頚部の外に漏れ出したりするという問題点が発生し、これに対する補完が要求されている。
【発明の開示】
【発明が解決しようとする課題】
【００１０】
そこで、本発明は、このような問題点に鑑みてなされたもので、その目的とするところは、容器本体を開閉するためのキャップの下端中央にブラシ柄を設けるが、前記ブラシ柄が上下に作動するようにすることにより、容器本体からキャップを開放するときには、ブラシ柄が下方に一定の長さ前進して、キャップを閉めなくても容器本体の底に残った微量のマスカラ液を容易に使用し得るようにし、容器本体にキャップを付けたときには、キャップのブラシ柄が上方に後進して、ブラシが容器本体の底に密着しないようにした、ばね付勢マスカラブラシを有する容器を提供することにある。
【００１１】
本発明の他の目的は、マスカラ液を使用するとき、ブラシまたはブラシ柄に過多に付いたマスカラ液を掻き落として外部への損失を防止し得るように、容器本体の頚部には内周面から下方に延長される掻き落とし部をさらに結合する、ばね付勢マスカラブラシを有する容器を提供することにある。
【課題を解決するための手段】
【００１２】
上記目的を達成するために、本発明は、一定量のマスカラ液を収容し、その上端には雄ネジ部が設けられた頚部を有する容器本体と、前記容器本体の上部をカバーするための外キャップと、前記外キャップの内部に結合し、その下部には一定の長さ延長されたブラシ柄が一体に設けられたブラシユニットと、前記ブラシ柄の下端に結合したブラシとからなるマスカラ容器において、
上下面が貫通した円筒状に設けられて前記外キャップの内部に圧力嵌め方式によって結合し、その下側内周面には前記頚部の雄ネジ部に対応する雌ネジ部が設けられ、前記雌ネジ部の上側には突出した環状段部が一体に設けられた内キャップと、
前記内キャップに一定の長さ上下作動するように挿入され、外周面の所定の位置には前記内キャップの前記環状段部に係止されるように環状係止部が突設され、前記環状係止部の上面にはばね座が凹設され、下端には一定の長さ延長されて本体内に挿入されるブラシ柄が一体に設けられたブラシユニットと、
前記ブラシユニットのばね座と前記外キャップの内部空間との間に設置され、ブラシユニットの上下作動時にブラシユニットを弾性的に付勢し、その結果ブラシ柄が上下作動するようにするばねとを含む、ばね付勢マスカラブラシを有する容器を提供する。
【００１３】
この際、前記容器本体の頚部には、上下面が貫通した円筒状を有し、上端外周縁には結合突縁が設けられ、下端の内周縁にはブラシに過多に付いたマスカラ液を掻き落とすための突起が設けられた掻き落とし部がさらに結合する。
【発明を実施するための最良の形態】
【００１４】
本発明の前記および他の目的、特徴および他の利点は添付図面を参照する以降の詳細な説明からより明らかに理解可能である。
【００１５】
本明細書及び図面において、実質的に同一の機能構成を有する構成要素については、同一の符号を付する。
【００１６】
図２は本発明に係るばね付勢マスカラブラシを有する容器を示す分解斜視図、図３は本発明に係るばね付勢マスカラブラシを有する容器を示す側断面図である。    
図２又は図３に示すように、本発明に係るばね付勢マスカラブラシを有する容器は、大きく容器本体１０とキャップから構成される。前記キャップは、通常の外キャップ２０の内部に、本発明の特徴である内キャップ３０、ブラシユニット４０およびばね５０が結合してなる。
【００１７】
この場合、前記容器本体１は、金属材または合成樹脂材で射出成形され、一定量のマスカラ液を収容することが可能な瓶の形状を有し、その上端には雄ネジ部１１が設けられた一定の高さの頚部１２が突設される。
【００１８】
前記外キャップ２０は、容器本体１０の上部をカバーするためのもので、その内部には内キャップ３０、ブラシユニット４０およびばね５０が結合して、前記ブラシユニット４０が一定の距離上下作動し得るように空間が設けられる。また、前記外キャップ２０の上側内周面にはリブが設けられ、これにより、内キャップ３０を圧力嵌め方式によって外キャップ２０に結合させるときに内キャップ３０が必要以上前進することを防止する。
【００１９】
前記内キャップ３０は、上下面が貫通した一定長さの円筒状に設けられ、前記外キャップ２０の内部に圧力嵌め方式によって結合する。さらに、前記外キャップ２０の下側内周面の適所には環状溝が設けられ、これに対応する内キャップ３０の下側外周面の適所には環状突起が設けられるので、前記内キャップ３０の環状突起がフック結合方式によって前記外キャップ２０の環状溝に結合することにより、前記内キャップ３０が前記外キャップ２０から不要に離脱することを防止する。
【００２０】
特に、前記内キャップ３０の下側内周面には前記頚部１２に対応する雌ネジ部３１が設けられ、前記雌ネジ部３１の上側には突出した環状段部３２が一体に設けられるので、前記段部３２の形成位置は前記内キャップ３０の中央より低い位置となる。これにより、前記ブラシユニット４０の上下作動距離を確保する。
【００２１】
前記ブラシユニット４０は、内キャップ３０に挿入されて前記段部３２の上部から一定の長さ上下作動するようにするが、その中間高さの外周面には前記段部３２に係止されるように環状係止部４１が設けられ、前記係止部４１の上端にはばね５０の一端が定着されるようにばね座４２が一体に設けられるので、前記ばね座４２はばね５０が定着されるようにブラシユニット４０の内側に凹設される。
【００２２】
また、ブラシユニット４０の下端中央には、一定の長さ延長されて容器本体１０の内部に挿入されるブラシ柄４３が一体に設けられ、前記ブラシ柄４３の端部には、前記ブラシ４４の端部が容器本体１の底面に近接するようにブラシ４４が挿着される。
【００２３】
前記ばね５０は、ブラシユニット４０のばね座４２と外キャップ２０の内部空間との間に設置され、ブラシユニット４０の上下作動時にブラシユニットを弾性的に付勢する。前記ばね５０は、通常のコイルばね５０を使用することが好ましい。
【００２４】
一方、前記容器本体１０の頚部１２には、掻き落とし部６０がさらに結合する。前記掻き落とし部６０は、上下面が貫通した円筒状を有し、上端外周縁に沿っては結合突縁６１が設けられ、下端内周縁に沿っては突起６２が設けられる。前記結合突縁６１は頚部１２の上端に係止されて容器本体１０内への離脱を防止し、前記突起６２はブラシ４４またはブラシ柄４３に過多に付いたマスカラ液を掻き落とすことができるように設けられる。
【００２５】
この場合、前記突起６２は、掻き落とし部６０の下端が内側に緩やかな曲線を描きながらその端部から比較的鋭く突出して、ブラシ４４またはブラシ柄３２に付いたマスカラ液を掻き落とす。
【００２６】
この際、前記容器本体１０の頚部１２と掻き落とし部６０との結合は、外キャップ２０と内キャップ３０との結合と同様の方式によって行われる。前記掻き落とし部６０がフック結合方式によって前記頚部１２に結合するように、前記容器本体１０の頚部１２の内周面には環状溝が設けられ、前記掻き落とし部６０の外周面には前記頚部１２の環状溝に対応する位置に環状突起が設けられる。この際、前記頚部１２の直下方に対応する掻き落とし部６０の適所には環状突起をさらに設けることにより、前記掻き落とし部６０が頚部１２から容易に離脱しないようにする。
【００２７】
次に、本発明に係るマスカラ容器の作用およびその効果について具体的に説明する。
【００２８】
図４は本発明に係る容器本体とキャップが螺合方式によって結合した状態でブラシユニットが上昇作動した状態を示し、図５は本発明に係る容器本体からキャップが分離された状態でブラシユニットが下降作動した状態を示す。
【００２９】
まず、本発明のマスカラ容器は、容器本体１０の頚部に掻き落とし部６０を結合させた状態で容器本体１０の内部にマスカラ液を充填する。
【００３０】
一方、前記キャップは、円筒状の内キャップ３０の上方からブラシユニット４０を結合させて内キャップ３０の段部３２にブラシユニット４０の係止部４１が係止されるようにした後、ブラシユニット４０の係止部４１の上端に設けられたばね座４２にばね５０が定着されるようにする。
【００３１】
次いで、前記内キャップ３０にブラシユニット４０が結合しブラシユニット上にばね５０が定着された状態で、前記外キャップ２０を結合させる。この際、前記内キャップ３０が外キャップ２０のリブに近接した状態で、前記内キャップ３０が、環状溝および環状突起によってフック結合方式で前記外キャップ２０に結合する。これにより、ばね５０の一端がブラシユニット４０のばね座４２に支持され、これと同時にばね５０の他端は外キャップ２０の上端内面に支持される。
【００３２】
次に、本発明の容器本体１０にキャップを結合させた状態でのブラシユニット４０の後進作動について図４を参照して説明する。前記容器本体１０の頚部１２の雄ネジ部１１と前記内キャップ３０の雌ネジ部３１が完全に螺合された状態で、前記ブラシユニット４０の下端外周縁が掻き落とし部６０の上端に密着して一定の距離上方に後進した状態を維持する。
【００３３】
すなわち、前記ブラシユニット４０の係止部４１は、内キャップ３０の段部３２から一定の距離上昇した状態を維持し、この時、ブラシユニット４０のばね座４２と外キャップ２０の上端内面との間に位置したばね５０は、ブラシユニット４０が後退した距離分だけ圧縮されて弾力を発生する。同時に、前記ブラシユニット４０のブラシ柄４３の下端に取り付けられているブラシ４４の下端は、マスカラ容器本体１０の内部底に近接する。
【００３４】
一方、容器本体１０からキャップが分離した状態でのブラシユニット４０の下降作動について図５を参照して説明する。前記ブラシユニット４０の下端外周縁に掻き落とし部６０の干渉が解除されながら、ばね５０の弾力によってブラシユニット４０を押して前進させるので、前記ブラシユニット４０の外周面に設けられた係止部４１が内キャップ３０の段部３２に係止されてその前進が停止する。
【００３５】
すなわち、前記ブラシユニット４０が下方に一定の長さ前進するにつれて、ブラシ柄４３およびその下端に取り付けられているブラシ４４が下方に前進することにより、実質的にブラシ柄４３の長さが延長され、これによりキャップを容器本体１０に螺合方式によって完全に結合させていない状態でも、前記ブラシ４４の下端が容器本体１０の内部底に近接することができる。
【００３６】
したがって、キャップを完全に閉めなくても、微量のマスカラ液を容易に使用することができる。
【産業上の利用可能性】
【００３７】
以上述べたように、本発明のばね付勢マスカラブラシを有する容器によれば、容器本体を開閉するためのキャップの下端中央にブラシ柄を設けるが、前記ブラシ柄が上下に作動するようにすることにより、容器本体からキャップを開放するときにはブラシ柄が下方に一定の長さ前進して、キャップを閉めなくても本体の底に残った微量のマスカラ液を容易に使用し得るようにし、容器本体にキャップを付けたときにはキャップのブラシ柄が上方に後進して、ブラシが容器本体の底に密着しないようにして、便利性と共に非常に経済的な効果が発揮される。
【００３８】
また、容器本体の頚部に、内周面から下方に延長される掻き落とし部を結合させることにより、マスカラ液を使用するとき、ブラシまたはブラシ柄に過多に付いたマスカラ液を掻き落として外部への損失を簡便且つ効率的に防止することができるという非常に有用な効果が発揮される。
以上、本発明の好適な実施例について説明したが、当業者であれば、特許請求の範囲に記載された本発明の範囲および精神から逸脱することなく、各種の変形、追加および置換が可能であることを理解するであろう。
【図面の簡単な説明】
【００３９】
【図１】従来のマスカラ容器を示す側断面図。
【図２】本発明に係るばね付勢マスカラブラシを有する容器を示す分解斜視図。
【図３】本発明に係るばね付勢マスカラブラシを有する容器を示す側断面図。
【図４】本発明に係る容器本体とキャップが螺合方式によって結合した状態でブラシユニットが上昇作動した状態を示す図。
【図５】本発明に係る容器本体からキャップが分離された状態でブラシユニットが下降作動した状態を示す図。
【図１】
2007520249.tif 000003
【図２】
2007520249.tif 000004
【図３】
2007520249.tif 000005
【図４】
2007520249.tif 000006
【図５】
2007520249.tif 000007
【国際調査報告】
2007520249.tif 000008
2007520249.tif 000009